(57)【要約】  アレルギー検査において、検査の高感度化及び検査時間の短縮化を図るとともに、検体となる血液等の必要量を低減し、検査の工程数を削減して容易に検査を行うことが可能であり、検査者の感染リスクを低減したアレルギー検査に用いられる生化学反応用基体を提供する。  生化学反応用基体であって、反応用プレート、吸収体、前記反応用プレートを収納するための反応用プレート収納部及び前記吸収体を収納する吸収体収納部並びに被保温部を備えた収納容器及び前記収納容器に収納された前記反応用プレート及び前記吸収体の少なくとも一部を覆うように前記収納容器に組付けられるカバーを備え、前記反応用プレートは、検体中の被験物質に特異的に反応する特異結合物質が固定化される反応エリアと、前記吸収体と前記反応エリアとを連絡する流路部を有し、前記カバーは、検体等を前記反応用プレートへ注入するための注入孔を備える。
2019151468.tif 000002
【特許請求の範囲】
【請求項１】
生化学反応用基体であって、
反応用プレート、吸収体、前記反応用プレートを収納するための反応用プレート収納部及び前記吸収体を収納する吸収体収納部並びに被保温部を備えた収納容器及び前記収納容器に収納された前記反応用プレート及び前記吸収体の少なくとも一部を覆うように前記収納容器に組付けられるカバーを備え、
前記反応用プレートは、検体中の被験物質に特異的に反応する特異結合物質が固定化される反応エリアと、前記吸収体と前記反応エリアとを連絡する流路部を有し、
前記カバーは、検体等を前記反応用プレートへ注入するための注入孔を備えることを特徴とする生化学反応用基体。
【請求項２】
請求項１に記載の生化学反応用基体において、
前記反応用プレートは、前記反応エリアを囲むように形成された流出防止壁が前記流路部と連続して形成されていることを特徴とする生化学反応用基体。
【請求項３】
請求項２に記載の生化学反応用基体において、
前記カバーは、前記流出防止壁の少なくとも一部の外周縁に沿って前記反応用プレートに当接する内壁部を備えることを特徴とする生化学反応用基体。
【請求項４】
請求項３に記載の生化学反応用基体において、
前記内壁部は、前記流路部に近接する吸引防止用欠損部が形成され、
前記反応用プレート収納部は、前記吸収体収納部と連続する収納部溝が形成されていることを特徴とする生化学反応用基体。
【請求項５】
検体と試薬との反応を分析する分析装置であって、
前記検体と前記試薬が収容される試薬カートリッジ並びに前記検体と前記試薬を分注する生化学反応用基体を架設する架設エリアと、前記生化学反応用基体に前記検体及び／又は前記試薬を分注する分注エリアと、分注された前記検体及び／又は前記試薬を撹拌混合する撹拌エリアと、前記撹拌混合された前記検体及び前記試薬を排液する排液エリアと、前記生化学反応用基体における前記検体と前記試薬との反応を検出する検出エリアとを備え、
前記架設エリア、前記分注エリア、前記撹拌エリア、前記排液エリア及び前記検出エリアが同一直線上に配列されることを特徴とする分析装置。
【請求項６】
請求項５に記載の分析装置において、
前記同一直線に沿って配置される案内手段と、前記案内手段によって案内される移動テーブルを備えることを特徴とする分析装置。
【請求項７】
請求項５又は６に記載の分析装置において、
前記架設エリアと前記排液エリアはそれぞれ前記同一直線のいずれかの端部に配置されることを特徴とする分析装置。
【請求項８】
請求項６又は７に記載の分析装置において、
前記撹拌エリアは、前記移動テーブルを前記同一直線に沿って往復移動させて加振することを特徴とする分析装置。
【請求項９】
請求項５から８のいずれか１項に記載の分析装置において、
前記分注エリアは、前記同一直線と略垂直な方向に移動可能な分注ノズルを備えることを特徴とする分析装置。
【請求項１０】
請求項５から９のいずれか１項に記載の分析装置において、
前記排液エリアは、前記同一直線の端部に形成されたストッパを備え、該ストッパに当接することで前記生化学反応用基体を傾斜させる傾斜機構を備えることを特徴とする分析装置。
【請求項１１】
請求項５から１０のいずれか１項に記載の分析装置において、
前記検出エリアは、前記生化学反応用基体を遮光する遮光部と、前記生化学反応用基体表面を検出する検出カメラとを備え、
前記検出カメラは前記同一直線と略垂直な方向に移動せしめる移動機構を備えることを特徴とする分析装置。
【請求項１２】
請求項１１に記載の分析装置において、
前記遮光部は、前記検出カメラと共に前記移動機構によって移動し、前記検出カメラから前記遮光部の端部の距離を調整可能な調整機構を備えることを特徴とする分析装置。
【請求項１３】
請求項１２に記載の分析装置において、
前記調整機構は、一端に前記検出カメラを取り付けた第１の筒と、前記第１の筒に組み付けられる第２の筒を備えることを特徴とする分析装置。
【発明の詳細な説明】
【技術分野】
【０００１】
本発明は、免疫学的測定法等の生化学反応処理に基づく生理活性を有する試料物質の量を測定するための生化学反応用基体及び血液などの検体と試薬との反応を分析する分析装置に係り、特に、分析装置の小型化、検査時間の短縮、検体量の少量化及び検査コストの低減を図ることができる分析装置に関するものである。
【背景技術】
【０００２】
体内物質の存在や量を検査する生体関連物質の検査は、健康状態を知り、治療方法を決定する上で重要である。また、生体関連物質の検査は、生活環境が多種多様化している現代においては、多種類の検査を行う必要性があり、迅速化や高感度化が求められている。例えば、アレルギー疾患の治療は、まず自己が罹患しているアレルギー疾患を把握することが重要である。近年はアレルギーの原因も多種に渡ることもあり、適正な薬物を使用するなど適正な治療を受けるためにはその原因を特定する必要があるからである。【０００３】
このような、アレルギーの検査方法としては、種々の方法が知られており、例えば、特許文献１に記載されているように、被験者から採取した血液サンプル中の特定アレルゲンに対するＩｇＥ抗体を固相サンドイッチ免疫学的測定法によって定量する方法が一般的である。この方法では、例えば、ガラスフィルターなどの固相担体上にリガンド捕捉抗体を吸着させ、リガンド捕捉抗体吸着部位以外のタンパク質吸着部位をカゼインなどのブロッキング剤で封止したものを準備し、一方、リガンドにダニや花粉などの特定アレルゲンを結合したものを準備し、これを血液サンプルと混合して、リガンドに結合された特定アレルゲンと血液サンプル中の前記特定アレルゲンに対するＩｇＥ抗体との複合体を形成させる。そして、この複合体を含む混合液を、上述の固相担体上にリガンド捕捉抗体を吸着させたものに添加し、複合体中のリガンドの部分をリガンド捕捉抗体に結合させ、次に、酵素などで標識された抗ＩｇＥ抗体を添加し、複合体中のＩｇＥ抗体の部分を標識抗ＩｇＥ抗体に結合させる。次に、複合体に結合しなかった過剰な標識抗ＩｇＥ抗体を除去し、標識の種類に応じた呈色反応を行って、ＩｇＥ抗体に結合された標識抗ＩｇＥ抗体を検出する。得られた検出結果は、予め標準ＩｇＥ抗体を使用して作成しておいた検量線と比較され、血液サンプル中の特定アレルゲンに対するＩｇＥ抗体を定量する。【０００４】
上記検査を行うため、一の特定アレルゲンを、一の生体反応用基体の多孔性フィルタに結合させた生体反応用基体を用いて、検査する方法及びその装置が知られている。また、当該生体反応用基体には、多孔性フィルタ（固相担体）の下部に適度な物理的強度を有するグラスファイバーを用い、その下部に固相担体を通過した溶液を吸収するためのセルロースから成る吸収層を組み合わせた免疫学的測定用の反応容器を用いることができる（特許文献２参照）。【０００５】
また同様に、特許文献３に記載されているように、多種のアレルゲンの抗原を互いに独立した即ち隔置したスポットとして搭載したバイオチップを用いて，検体の採取後に，検体と抗原との反応検出過程を自動化し，且つ迅速に測定結果を得ることができるバイオチップの分析方法が開示されている。【０００６】
また同様に、特許文献４に記載されているように、多種のアレルゲンの抗原を互いに独立した即ち隔置したスポットとして搭載したバイオチップを用いつつ、吸引ノズルを使用せずに洗浄液等を除去する方法が開示されている。【０００７】
さらに従来、血液などの検体と試薬との反応を分析する分析装置としては、種々の形態が知られており、例えば特許文献５に示すような分析装置が知られている。特許文献５に記載された分析装置は、検体が収容される検体セル、試薬が収容される試薬セル及び検体、試薬が反応させられる反応セルが少なくとも含まれると共に各セルが直線的に配列されている態様の一若しくは複数の検査カートリッジと、予め決められたセットステージ及びこれに隣接する検査ステージのための空間部を内部に有する装置筐体と、前記セットステージに設けられ、前記一若しくは複数の検査カートリッジが保持されるカートリッジ受部を有するカートリッジ保持手段と、前記検査ステージに設けられ、前記カートリッジ保持手段に保持された検査カートリッジを検査ステージに直線的に搬入し、当該搬入された検査ステージ内の検査カートリッジの各セルの配列方向に沿う長手方向に沿って前記検査カートリッジを搬送する一方、検査後の検査カートリッジを検査ステージからセットステージに直線的に搬出して前記カートリッジ保持手段のカートリッジ受部に戻すカートリッジ搬送手段と、前記検査ステージ内の検査カートリッジの搬送経路の一部に予め設定された分注位置に対応して設けられ、前記カートリッジ搬送手段にて搬入された検査ステージ内の検査カートリッジの分注対象セルを前記分注位置に搬送して配置した状態で、前記検査カートリッジに対し当該検査カートリッジの検体、試薬を反応セルに分注する検体試薬分注手段と、前記検査ステージ内の検査カートリッジの搬送経路の一部に予め設定された測定位置に対応して設けられ、前記カートリッジ搬送手段にて搬送された検査ステージ内の検査カートリッジの反応セルを前記測定位置に搬送して配置した状態で、前記検体試薬分注手段にて分注された反応セル内の検体と試薬との反応を測定する測定手段と、加熱源にて加熱され、前記カートリッジ搬送手段にて搬送された検査ステージ内の検査カートリッジの少なくとも反応セル内の液温を予め設定された恒温環境温度に保つ恒温槽と、前記検査ステージの内部環境温度が検出可能な温度検出器を有し、当該温度検出器にて検出された内部環境温度に基づいて、当該内部環境温度が予め決められた閾値よりも低いときに当該閾値以上の温度の場合に比べて前記恒温槽の加熱源の設定温度を高くするように、前記加熱源の設定温度を制御する恒温槽制御手段と、を備えている。【０００８】
このような分析装置によれば、検体や試薬を検査カートリッジの反応セルに分注した後、該検査カートリッジの反応セル内の液温を予め設定された恒温環境温度に保つ恒温槽を備えているので、検査カートリッジ及び環境温度の変化に伴う測定精度の低下を有効に防止することができる。
【先行技術文献】
【特許文献】
【０００９】
【特許文献１】特開２０１１−１３３２８５号公報
【特許文献２】特開２００１−２３５４７１号公報
【特許文献３】特開２０１１−１３０００号公報
【特許文献４】国際公開第２０１６／１６３４９４号
【特許文献５】特開２０１６−２４０５４号公報
【発明の概要】
【発明が解決しようとする課題】
【００１０】
しかし、特許文献２に記載されているように、反応容器を用いた検査方法、装置においては、１検体の測定に１２分、９０サンプルの測定に約３９分と、比較的短時間に計測することが可能であるが、特定のアレルゲン毎に検体（血液等）を用意しなければならず、検体量が多量に必要となる。そのため、乳幼児においては計測するために必要な検体を確保することが難しい場合があった。【００１１】
また、特許文献３に記載された技術では、洗浄ノズル、抗体ノズル、試薬ノズルといった各ノズルから供給された各液を吸引するための吸引ノズルが必要であり、各液の吸引が完了するまでに時間を要すると共に、吸引ノズルに付着した付着物がバイオチップに付着しコンタミネーションを引き起こす恐れがあった。【００１２】
また、特許文献４に記載された技術では、第２の基台部に固定化されている多種のアレルゲンの抗原に対して、特異的に結合する特定アレルゲンに対するＩｇＥ抗体を、酵素などで標識された抗ＩｇＥ抗体（標識抗ＩｇＥ抗体）を結合させた後、呈色反応を行って、標識抗ＩｇＥ抗体を検出するが、第２基台部の上部に第１基台部及びカバー部材が積層させているため、呈色の度合いが弱い反応を検出するためには有効な手段とはいえず、高感度に検出できないおそれがある。【００１３】
このように、従来のアレルギー検査においては、検査の高感度化及び検査の短時間化が望まれており、検体となる血液等が多量に必要となるために、検体量の少量化が望まれていた。また、アレルギー検査においては、反応操作の工程数が少なく、検査を行う者の手間が省けること、及び検体である患者の血液等を扱うことから、患者が罹患している疾患に感染するリスクを低減する必要があるという問題があった。【００１４】
また、特許文献５に記載された分析装置は、検体や試薬を反応セルへ分注した後、検体や試薬を所定量吸引保持し、測定対象である反応セル内に所定の検体、試薬を吐出したのち、該反応セルを有する検査カートリッジを測定位置に搬送して検査を行うが、検体や試薬を吸引する方式によると、装置が大型化し、装置製造のコストも上昇してしまうという問題があった。【００１５】
また、検査時間短縮のために、反応セルへ検体や試薬を分注した後、反応セルを撹拌したのち、余分な検体及び試薬を排液する方式が知られているが、このような撹拌や排液の機構を備えると分析装置の大型化及び製造コストが上昇してしまうなどといった問題が生じる。【００１６】
そこで、本発明はこのような問題を解決するためになされたものであって、アレルギー検査において、検査の高感度化及び検査時間の短縮化を図るとともに、検体となる血液等の必要量を低減し、検査の工程数を削減して容易に検査を行うことが可能であり、検査者の感染リスクを低減したアレルギー検査に用いられる生化学反応用基体を提供することを目的とする。【００１７】
また、本発明はこのような問題を解決するためになされたものであって、反応セルの撹拌及び排液の機構を加えて検査時間の短縮を図った場合であっても分析装置の小型化を図ることができ、製造コストを抑えることができる分析装置を提供することを目的とする。
【課題を解決するための手段】
【００１８】
上記課題を解決する本発明に係る生化学反応用基体は、反応用プレート、吸収体、前記反応用プレートを収納するための反応用プレート収納部及び前記吸収体を収納する吸収体収納部並びに被保温部を備えた収納容器及び前記収納容器に収納された前記反応用プレート及び前記吸収体の少なくとも一部を覆うように前記収納容器に組付けられるカバーを備え、前記反応用プレートは、検体中の被験物質に特異的に反応する特異結合物質が固定化される反応エリアと、前記吸収体と前記反応エリアとを連絡する流路部を有し、前記カバーは、検体等を前記反応用プレートへ注入するための注入孔を備えることを特徴とする。【００１９】
また、本発明に係る生化学反応用基体において、前記反応用プレートは、前記反応エリアを囲むように形成された流出防止壁が前記流路部と連続して形成されていると好適である。【００２０】
また、本発明に係る生化学反応用基体において、前記カバーは、前記流出防止壁の少なくとも一部の外周縁に沿って前記反応用プレートに当接する内壁部を備えると好適である。  【００２１】
また、本発明に係る生化学反応用基体において、前記内壁部は、前記流路部に近接する位置に吸引防止用欠損部が形成され、前記反応用プレート収納部は、前記吸収体収納部と連続する収納部溝が形成されていると好適である。【００２２】
上記課題を解決する本発明に係る分析装置は、検体と試薬との反応を分析する分析装置であって、前記検体と前記試薬が収容される試薬カートリッジ並びに前記検体と前記試薬を分注するチップデバイスを架設する架設エリアと、前記チップデバイスに前記検体及び前記試薬を分注する分注エリアと、分注された前記検体及び／又は前記試薬を撹拌混合する撹拌エリアと、前記撹拌混合された前記検体及び／又は前記試薬を排液する排液エリアと、前記チップデバイスにおける前記検体と前記試薬との反応を検出する検出エリアとを備え、前記架設エリア、前記分注エリア、前記撹拌エリア、前記排液エリア及び前記検出エリアが同一直線上に配列されることを特徴とする。【００２３】
また、本発明に係る分析装置において、前記同一直線に沿って配置される案内手段と、前記案内手段によって案内される移動テーブルを備えると好適である。【００２４】
また、本発明に係る分析装置において、前記架設エリアと前記排液エリアはそれぞれ前記同一直線のいずれかの端部に配置されると好適である。【００２５】
また、本発明に係る分析装置において、前記撹拌エリアは、前記移動テーブルを前記同一直線に沿って往復移動させて加振すると好適である。【００２６】
また、本発明に係る分析装置において、前記分注エリアは、前記同一直線と略垂直な方向に移動可能な分注ノズルを備えると好適である。【００２７】
また、本発明に係る分析装置において、前記排液エリアは、前記同一直線の端部に形成されたストッパを備え、該ストッパに当接することで前記チップデバイスを傾斜させる傾斜機構を備えると好適である。【００２８】
また、本発明に係る分析装置において、前記検出エリアは、前記チップデバイスを遮光する遮光部と、前記チップデバイス表面を検出する検出カメラとを備え、前記検出カメラは前記同一直線と略垂直な方向に移動せしめる移動機構を備えると好適である。【００２９】
また、本発明に係る分析装置において、前記遮光部は、前記検出カメラと共に前記移動機構によって移動し、前記検出カメラから前記遮光部の端部の距離を調整可能な調整機構を備えると好適である。【００３０】
また、本発明に係る分析装置において、前記調整機構は、一端に前記検出カメラを取り付けた第１の筒と、前記第１の筒に組み付けられる第２の筒を備えると好適である。
【発明の効果】
【００３１】
本発明によれば、反応用プレートは、検体中の被験物質に特異的に反応する特異結合物質（例えば、抗原（アレルゲン））が固定化される反応エリアと、吸収体と反応エリアとを連絡する流路部を有し、カバーは、検体等を前記反応用プレートへ注入するための注入孔を備えているので、検査の工程数を削減（例えば、洗浄液を排液するために、反応エリアから洗浄液を吸液する工程の削減等）して容易に検査を行うことができる。また、検査者が検体となる血液等に直接触れることなくアレルギー検査を行うことができるので、検査者の感染リスクを低減することができる。【００３２】
また、反応エリアで多種のアレルゲンの抗原との反応検出を行うことができるので、検体となる血液等の必要量を低減することができる。【００３３】
また、本発明によれば、架設エリア、分注エリア、撹拌エリア、排液エリア及び検出エリアが同一直線上に配列されているので、検体と試薬を分注したチップデバイスの撹拌や排液を行って検査時間の短縮を図った場合であっても分析装置の小型化を図ることができる。
【図面の簡単な説明】
【００３４】
【図１】本発明の実施形態に係る生化学反応用基体の斜視図。
【図２】本発明の実施形態に係る生化学反応用基体の分解図。
【図３】本発明の実施形態に係る生化学反応用基体に用いられる反応用プレートの斜視図。
【図４】本発明の実施形態に係る生化学反応用基体に用いられる収納容器の上面図。
【図５】本発明の実施形態に係る生化学反応用基体に用いられるカバーの底面図。
【図６】反応用プレートの反応エリアにおける抗原（アレルゲン）の配置状態を説明するための上面図。
【図７】本発明の実施形態に係る生化学反応用基体に用いられるカバーの変形例を示す底面図。
【図８】本発明の実施形態に係る生化学反応用基体に用いられる反応用プレートの変形例を示す上面図。
【図９】図８におけるＡ−Ａ断面図。
【図１０】図８におけるＢ−Ｂ断面図。
【図１１】反応用プレートの反応エリアにおける抗原（アレルゲン）の他の配列状態を説明するための上面図。
【図１２】本発明の実施形態に係る分析装置の斜視図。
【図１３】本発明の実施形態に係る分析装置の内部構造を説明するための図。
【図１４】本発明の実施形態に係る分析装置の内部構造を説明するための斜視図。
【図１５】本発明の実施形態に係る分析装置の架設エリアを説明するための斜視図。
【図１６】本発明の実施形態に係る分析装置のバーコード読み取りエリアを説明するための斜視図。
【図１７】本発明の実施形態に係る分析装置の分注エリアを説明するための斜視図。
【図１８】本発明の実施形態に係る分析装置の撹拌エリアを説明するための斜視図。
【図１９】本発明の実施形態に係る分析装置の排液エリアを説明するための斜視図。
【図２０】本発明の実施形態に係る分析装置の傾斜機構を説明するための斜視図。
【図２１】本発明の実施形態に係る分析装置の傾斜機構を説明するための斜視図であって、ストッパに傾斜用カムが当接した状態を示す図。
【図２２】本発明の実施形態に係る分析装置の傾斜機構を説明するための斜視図であって、基体保持部を傾斜させた状態を示す図。
【図２３】本発明の実施形態に係る分析装置の検出エリアを説明するための斜視図。
【図２４】本発明の実施形態に係る分析装置の検出結果を説明する図であって、反応エリアにおける抗原の配置を説明するための図。
【図２５】本発明の実施形態に係る分析装置の検出結果を説明する図であって、６０秒間露光した状態を示す図。
【図２６】本発明の実施形態に係る分析装置の検出結果を説明する図であって、２０秒間露光した状態を示す図。
【図２７】本発明の実施形態に係る分析装置の検出結果を説明する図であって、５秒間露光した状態を示す図。
【発明を実施するための形態】
【００３５】
以下、本発明に係る生化学反応用基体及び分析装置について図面を参照しつつ説明する。なお、以下の実施の形態は、各請求項に係る発明を限定するものではなく、また、実施形態の中で説明されている特徴の組み合わせの全てが発明の解決手段に必須であるとは限らない。
【００３６】
図１は、本発明の実施形態に係る生化学反応用基体の斜視図であり、図２は、本発明の実施形態に係る生化学反応用基体の分解図であり、図３は、本発明の実施形態に係る生化学反応用基体に用いられる反応用プレートの斜視図であり、図４は、本発明の実施形態に係る生化学反応用基体に用いられる収納容器の上面図であり、図５は、本発明の実施形態に係る生化学反応用基体に用いられるカバーの底面図であり、図６は、反応用プレートの反応エリアにおける抗原（アレルゲン）の配置状態を説明するための上面図であり、図７は、本発明の実施形態に係る生化学反応用基体に用いられるカバーの変形例を示す底面図であり、図８は、本発明の実施形態に係る生化学反応用基体に用いられる反応用プレートの変形例を示す上面図であり、図９は、図８におけるＡ−Ａ断面図であり、図１０は、図８におけるＢ−Ｂ断面図であり、図１１は、反応用プレートの反応エリアにおける抗原（アレルゲン）の他の配列状態を説明するための上面図であり、図１２は、本発明の実施形態に係る分析装置の斜視図であり、図１３は、本発明の実施形態に係る分析装置の内部構造を説明するための図であり、図１４は、本発明の実施形態に係る分析装置の内部構造を説明するための斜視図であり、図１５は、本発明の実施形態に係る分析装置の架設エリアを説明するための斜視図であり、図１６は、本発明の実施形態に係る分析装置のバーコード読み取りエリアを説明するための斜視図であり、図１７は、発明の実施形態に係る分析装置の分注エリアを説明するための斜視図であり、図１８は、発明の実施形態に係る分析装置の撹拌エリアを説明するための斜視図であり、図１９は、本発明の実施形態に係る分析装置の排液エリアを説明するための斜視図であり、図２０は、本発明の実施形態に係る分析装置の傾斜機構を説明するための斜視図であり、図２１は、本発明の実施形態に係る分析装置の傾斜機構を説明するための斜視図であって、ストッパに傾斜用カムが当接した状態を示す図であり、図２２は、発明の実施形態に係る分析装置の傾斜機構を説明するための斜視図であって、基体保持部を傾斜させた状態を示す図であり、図２３は、発明の実施形態に係る分析装置の検出エリアを説明するための斜視図であり、図２４は、本発明の実施形態に係る分析装置の検出結果を説明する図であって、反応エリアにおける抗原の配置を説明するための図であり、図２５は、本発明の実施形態に係る分析装置の検出結果を説明する図であって、６０秒間露光した状態を示す図であり、図２６は、本発明の実施形態に係る分析装置の検出結果を説明する図であって、２０秒間露光した状態を示す図であり、図２７は、本発明の実施形態に係る分析装置の検出結果を説明する図であって、５秒間露光した状態を示す図である。
【００３７】
図１及び図２に示すように、本実施形態に係る生化学反応用基体１は、内部に反応用プレート１０を収納可能であり、カバー３０と収納容器４０とを有している。カバー３０には、略円形の注入孔３１が形成されており、反応用プレート１０を収納した状態で、注入孔３１は、反応用プレート１０の反応エリア１１に対応した位置に配置されるように構成されている。また、収納容器４０の底部には、凹状の被保温部４３が形成されており、後述する検査装置のヒータが当接して反応エリア１１を加温することができるよう構成されている。
【００３８】
図２に示すように、収納容器４０には、反応用プレート１０を収納する反応用プレート収納部４１及びスポンジなどの液体を十分に吸収可能な多孔質材などから構成された吸収体２０を収納する吸収体収納部４２が形成されている。なお、収納容器４０に反応用プレート１０及び吸収体２０が収納された状態では、反応用プレート１０に形成された流路部１２の先端は吸収体２０に当接するように配置されている。
【００３９】
図３に示すように、反応用プレート１０は、収納容器４０に形成された反応用プレート収納部４１に支障なく嵌め合わせることが可能な板状のベース部１４と、該ベース部１４から立設する流出防止壁１３と、流路部１２とを備えている。流出防止壁１３は、概略円環状の壁であり、流出防止壁１３の内部が反応エリア１１として画成されている。
【００４０】
また、反応エリア１１から吸収体２０と対向する位置には、流出防止壁１３の外周縁から延びると共に一対の側壁間の距離が徐々に狭まるように形成された流路部１２が形成されている。該流路部１２は、反応エリア１１に分注した検体等を排液して吸収体２０に吸収させるために形成されており、生化学反応用基体１を傾けることで、反応エリア１１から吸収体２０に向けて無駄なく検体等を排出することができるように、流路部１２には反応エリア１１から登り上がるように形成された斜面１５を有している。なお、斜面１５は、ベース部１４から５°〜７０°程度傾斜して形成されるのが好ましく、当該傾斜のより好ましい角度は１２°〜５０°であり、さらに好ましい角度は１７°〜３５°であり、好適な角度は２３°である。流路部の傾斜は、その角度が大きければ大きいほど漏れを防止することができるが、一方で排出し難い事態が生じ易くなる。そのため、好ましい角度を採用することで、本発明の目的を達成することができる。流路部１２の反応エリア１１側の基端は、反応エリア１１上の検体等を円滑に吸収体２０側の先端に導くためにできるだけ広い開口となるように構成されており、流路部１２の先端側は、吸収体２０に対して斜面１５が鋭角に当接するように形成されている。
【００４１】
このように、本実施形態に係る生化学反応用基体１に用いられる反応用プレート１０は、反応エリア１１を囲むように流出防止壁１３が形成され、流路部１２に斜面１５が設けられているので、アレルギー検査において、生化学反応用基体１を撹拌した際にも反応エリア１１から検体等が流出することを防止すると共に、撹拌後に検体等を排液する場合も流路部１２から容易に検体等を排出することが可能となる。また反応エリア全域にブロッキング剤をあらかじめ塗布することにより、非特異的な吸着を抑制することができる。さらに、流出防止壁１３の内部を反応エリアとして画成することにより、ブロッキング剤塗布の副次的な効果として、検体等の排出をより容易に行うこともできる。
【００４２】
また、ブロッキング剤としては、ポリエチレングリコール等の動植物由来でない合成ポリマーを、一般的な技術で用いることができ、反応用プレート１０の素材、抗原等の対象物質、血液等の検体及び洗浄液等の試薬の性質によって適宜選択して使用することができる。
【００４３】
図４に示すように、収納容器４０は、反応用プレート収納部４１及び吸収体収納部４２が形成されてもよい。また、収納容器４０は、上方に開口端を有する有底箱状の部材であり、吸収体収納部４２の内壁には、リブ４５が形成された場合、吸収体２０をより確実に保持することが可能となる。また、反応用プレート収納部４１は、反応用プレート１０を載置した際に反応エリア１１と対応した位置に開口部４６が形成されていると好適である。また、収納容器４０は、該開口部４６によって生化学反応用基体１の外部から直接反応エリア１１を加温することが可能である。
【００４４】
さらに、反応用プレート収納部４１と吸収体収納部４２は収納部溝４４によって互いに連絡しており、万が一検体等が撹拌などによって流出防止壁１３を越えて漏れ出た場合でも検体等を反応用プレート収納部４１から吸収体収納部４２まで導くことができるように構成されている。
【００４５】
図５に示すように、カバー３０は、上述した収納容器４０の開口端を閉塞して生化学反応用基体１の外郭を構成する部材であり、天面３６の外周縁から垂下して延びる側壁部３６ａを有している。また、天面３６には、反応用プレート１０の流出防止壁１３と対応する位置に内壁部３２が垂下して形成されており、反応用プレート１０を生化学反応用基体１に収納した状態では、該内壁部３２は流出防止壁１３と当接している。
【００４６】
また、収納容器４０の反応用プレート収納部４１と吸収体収納部４２の連続部分に対応する位置には、天面３６から垂下して延びる画成壁３７が形成されている。この画成壁３７によって反応用プレート１０の反応エリア１１と吸収体２０とを区分けしている。なお、内壁部３２と画成壁３７とは、欠損部３３を介して互いに不連続に形成されている。この欠損部３３は、欠損部３３の部分まで内壁部３２を延設すると、流路部１２の外周と内壁部３２の間に微小な隙間が生じ、該隙間が存在することで毛細管現象によって流出防止壁１３の反応エリアから見て外側に漏れ出るおそれがある又は吸収体２０に吸収された検体等が反応エリア１１側に逆流するおそれがあるので、これを防止するために設けられている。
【００４７】
さらに、内壁部３２は、カバー３０の長手方向の端部に調整用欠損部３４が形成されていても良い。内壁部３２の一部を側壁部３６ａの内壁とすることで、省スペース化、材料費等のコスト削減が可能となる。
【００４８】
また、カバー３０の外周の側壁部には、凹凸状の滑り防止手段３５が形成されており、該滑り防止手段３５によって、検査者が生化学反応用基体１を確実に把持することができるように構成されている。また、吸収体収納部４２に対応する側壁部３６ａの内壁には、吸収体収納部４２と同様にリブ３８が形成されていてもよい。
【００４９】
なお、図６に示すように、反応用プレート１０の反応エリア１１には、複数セット（例えば３スポット／１セット）の抗原５０が所定の数のセット（例えば、１５６スポット／５２セット）で配列されている。このように配列することで、反応エリア１１に載せる抗原５０の量を増やすことができ、一度の検査で複数のアレルギー反応を検出することが可能となる。１セット毎に抗原の種類を同じにし、セット間に距離を置く事で測定の際の影響を無くすことで実現できる。また、当該セット毎の距離は、好ましくは０．５ｍｍ以上、より好ましくは０．５ｍｍ〜２．０ｍｍ、さらに好ましくは０．８ｍｍ〜１．６ｍｍ、好適は１．２ｍｍ程度であると良い。これにより、例えば種類の異なる抗原（アレルゲン）に対する血液サンプル中のＩｇＥ抗体の検査を１度にすることができる。そのため、検査は、検体の少量化、短時間化及び工程数の削減が可能となる。
【００５０】
なお、図７に示すように、カバー３０ａの欠損部の形状のように、内壁部３２と画成壁３７が連続するように概略Ｌ字状に形成された画成壁部３７ａを形成し、内壁部３２に内壁欠損部３３ａ及び画成壁に画成壁欠損部３３ｂを其々形成して画成壁部３７ａ、内壁部３２及び側壁部３６ａを其々不連続に形成しても構わない。このように内壁欠損部３３ａ，画成壁欠損部３３ｂを形成することで、毛細管現象によって流出防止壁１３の反応エリアから見て外側に漏れ出るおそれがある又は吸収体２０に吸収された検体等が反応エリア１１側に逆流するおそれがあるので、これを防止している。
【００５１】
また、図８から１０に示すように反応用プレート１０ａの流路部１２ａに形成された斜面１５ａをより検体等が排出されやすいように形成すると好適である。図９に示すように、斜面１５ａは、検体等を無駄なく排出することができるように、反応エリア１１との連続部分が滑らかに形成されており、反応エリア１１と斜面１５ａの連続部分に検体等が滞留することを防止している。さらに、図１０に示すように、斜面１５ａ自体の断面形状も滑らかな曲線となるように構成されており、斜面１５ａに検体等が滞留することを防止している。
【００５２】
さらに、反応エリア１１に配列される抗原５０は、図１１に示すように、反応用プレート１０の中央に集中するように抗原５０を配列すると好適である。このように抗原５０の配列場所を調整することで、抗原５０を反応用プレート１０に固相化する時間を短縮することが可能となる。
【００５３】
次に、図１２から２３を参照して、本実施形態に係る生化学反応用基体１を用いたアレルギー検査を行う分析装置の動作について説明を行う。
【００５４】
図１２に示すように、本実施形態に係る分析装置１０１は、操作パネル１０２及び後述する試薬カートリッジ１１３及び生化学反応用基体１を架設する投入部１０３を有する筺体１０４を備えている。投入部１０３は、図示しない架設扉によって開閉自在とされている。
【００５５】
図１３に示すように、分析装置１０１の内部は、同一直線上に配列された架設エリア１１０，バーコード読み取りエリア１２０，分注エリア１３０，撹拌エリア１４０，検出エリア１６０及び排液エリア１５０に画成されている。また、架設エリア１１０から排液エリア１５０は、同一直線上に配置された案内手段１１７によって案内される移動テーブル１１６が移動可能に取り付けられている。また、例えば、撹拌エリア１４０と分注エリア１３０の内、これらのエリアにおいて、重なり合う部分が生じても良いなど、隣り合うエリア同士が重なり合って構成されても構わない。
【００５６】
図１４に示すように、移動テーブル１１６は、試薬カートリッジ１１３が載置されると共に生化学反応用基体１が載置される基体保持部１１６ａを備えている。また、案内手段１１７と略平行に延設される駆動部１１８が取り付けられており、該駆動部１１８は図示しないモータ等の駆動源によって回転される円環状のバンドが架け回され、該バンドの駆動力を移動テーブル１１６に伝達することで、移動テーブル１１６を案内手段１１７に沿って移動可能に構成している。
【００５７】
次に、架設エリア１１０，バーコード読み取りエリア１２０，分注エリア１３０，撹拌エリア１４０，検出エリア１６０及び排液エリア１５０の各エリアについて説明を行う。
【００５８】
図１３及び１５に示すように、架設エリア１１０は、案内手段１１７の一端側（図１３における左側端）に位置している。また、図１５に示すように、架設エリア１１０に移動テーブル１１６が位置しているとき、投入部１０３を介して筺体１０４外から移動テーブル１１６に試薬カートリッジ１１３及び生化学反応用基体１を架設可能となるように構成される。試薬カートリッジ１１３は、検体１１１，反応用試薬１１２ａ、洗浄液１１２ｂ並びにチップ１３２を収納可能に構成されている。なお、以下本願明細書において、反応用試薬１１２ａ及び洗浄液１１２ｂを総称して「試薬１１２」と称する。生化学反応用基体１は、上述したように検体１１１及び試薬１１２を分注する反応エリア１１に向けて開口する注入孔３１と、検体１１１及び試薬１１２の分注後生化学反応用基体１の撹拌後に余分な検体１１１及び試薬１１２を排液するための吸収体収納部４２を備えている。吸収体収納部４２には、図示しない吸収体が収納されており、該吸収体によって余分な検体１１１や試薬１１２が外部に流出しないように保持される。なお、反応用試薬とは、検出に必要な反応のための試薬であり、例えば、標識抗体や発光基材等のことをいう。反応用試薬は、反応に必要な試薬であれば良く、特にこれらの具体例に限定されない。また、反応用試薬１１２ａと洗浄液１１２ｂの配置位置は適宜決定することができ、図１５に記載された位置に限定されない。
【００５９】
また、生化学反応用基体１が架設される基体保持部１１６ａには、生化学反応用基体１の反応エリア１１と対応するように加温部１１５が取り付けられており、該加温部１１５によって反応エリアを体温（例えば３７℃程度）に加温することで反応時間の短縮を図っている。
【００６０】
次に、図１６に示すように移動テーブル１１６を案内手段１１７に沿ってバーコード読み取りエリア１２０まで移動させる。バーコード読み取りエリア１２０には、バーコードリーダ１２１が取り付けられており、該バーコードリーダ１２１によって試薬カートリッジ１１３及び生化学反応用基体１の側壁に印刷又は貼り付けられたバーコードを各々読み取ることで、試薬、試薬の有効期限及びロット、検量線知情報等の試薬情報を分析装置１０１に読み取らせている。
【００６１】
図１７に示すように、分注エリア１３０は、案内手段１１７と略垂直な方向に移動可能に取り付けられた分注ノズル１３１を備えている。分注ノズル１３１は、試薬カートリッジ１１３に収納された検体１１１や試薬１１２を吸引吐出して生化学反応用基体１に該検体１１１及び試薬１１２を分注する部材である。この分注は、まず分注ノズル１３１の先端に試薬カートリッジ１１３に収納されたチップ１３２を嵌合させるために移動テーブル１１６を試薬カートリッジ１１３に収納されたチップ１３２の位置が分注ノズル１３１の真下に位置するように移動させた後、分注ノズル１３１を下降させて分注ノズル１３１の先端にチップ１３２を嵌合させる。
【００６２】
次に、移動テーブル１１６の検体１１１や試薬１１２等を試薬カートリッジ１１３から吸引するため、移動テーブル１１６の検体１１１又は試薬１１２などが収納された位置が分注ノズル１３１の真下に位置するように移動させて検体１１１又は試薬１１２をそれぞれ吸引する。同様に、検体１１１又は試薬１１２の吸引の後、移動テーブル１１６を生化学反応用基体１の注入孔３１が分注ノズル１３１の真下に位置するように移動させて、吸引した検体１１１や試薬１１２等を生化学反応用基体１の注入孔３１を介して反応エリア１１に分注される。
【００６３】
使用後のチップ１３２は、試薬カートリッジ１１３の所定の位置に分注ノズル１３１から分離されて戻される。このとき、使用後のチップ１３２は元の位置に戻すことで使用済みチップ１３２を回収するための位置を設ける必要がないため、試薬カートリッジ１１３のサイズを小型化することができると共に、使用後のチップ１３２を確実に回収することが可能となる。
【００６４】
撹拌エリア１４０は、分注エリア１３０とバーコード読み取りエリア１２０の間に位置しており、図１８に示すように、移動テーブル１１６を案内手段１１７に沿って撹拌エリア１４０内を往復移動させて分注した検体１１１及び試薬１１２を適宜撹拌する。このとき、分注ノズル１３１および後述する検出カメラ１６１は上方に退避して撹拌の際に移動テーブル１１６と干渉しないように構成される。また、撹拌のスピードは、検体１１１及び試薬１１２が確実に撹拌することができればどのようなスピードで撹拌しても構わないが、例えば、１分間に１ｃｍの振れ幅で６０〜１６０回程度動かせるスピードで撹拌すると好適であり、より好適には、１００〜１６０回程度の撹拌スピードで移動テーブルを撹拌することであり、さらに好適には、１２０〜１６０回程度の撹拌スピードで移動テーブルを撹拌することであり、最適には１４０回程度の撹拌スピードで移動テーブルを撹拌することである。
【００６５】
次に、図１９に示すように、排液エリア１５０に移動テーブル１１６を移動させて余分な検体１１１及び試薬１１２を生化学反応用基体１の吸収体収納部４２に収納された吸収体２０に吸収させて排液を行う。排液エリア１５０は、案内手段１１７の他方の端部に配置されており、図２０に示すように、案内手段１１７の端部にストッパ１５２が取り付けられている。また、移動テーブル１１６は、排液エリア１５０に至ると基体保持部１１６ａが所定の角度に傾斜する傾斜機構を備えている。この傾斜機構によって基体保持部１１６ａが傾斜することで生化学反応用基体１の反応エリア１１から吸収体収納部４２へ検体１１１及び試薬１１２を円滑に排液することが可能となる。なお、傾斜機構による傾斜角度は、円滑な排液を行うことができればどの程度に形成しても構わないが、例えば、傾斜角度は生化学反応用基体１内の反応エリア１１から吸収体収納部４２の間に形成された斜面１５と同じ角度から９０°の範囲で使用可能であるが、好適には２３°以上に傾斜するように構成することであり、より好適には３０°から７０°に傾斜するように構成すると好適であり、さらに好適には３０°から６０°に傾斜するように構成することであり、最適には５０°に傾斜するように構成することである。
【００６６】
次に、図１９から２２を参照して傾斜機構の動作について説明を行う。基体保持部１１６ａには傾斜用カム１５１が取り付けられており、図２１に示すように、排液エリア１５０に移動テーブル１１６が移動すると、案内手段１１７の端部に取り付けられたストッパ１５２に傾斜用カム１５１が当接する。そして、図２２に示すように更にストッパ１５２側に移動テーブル１１６を移動させると、傾斜用カム１５１は回動軸１５５を中心に回動し傾斜用カム１５１の先端に取り付けられたローラ１５４が上方に持ち上がるように移動する。このローラ１５４の移動によって基体保持部１１６ａは図１９に示すように回転軸１５３を支点として持ち上がる。このように、傾斜用カム１５１の先端にはローラ１５４が取り付けられているので、基体保持部１１６ａを円滑に傾斜させることが可能となる。また、排液が終わると移動テーブル１１６を後述する検出エリア１６０に移動させるが、このとき、ストッパ１５２と傾斜用カム１５１の当接が解除されるので、基体保持部１１６ａの傾斜も同時に解除されて移動テーブル１１６と基体保持部１１６ａの上面が略水平な状態に戻る。
【００６７】
次に、図２３に示すように、移動テーブル１１６を検出エリア１６０に移動させる。検出エリア１６０は、検出カメラ１６１と検出カメラ１６１を案内手段１１７と略垂直な方向に上下動させる移動機構１６５と、検出カメラ１６１と共に上下動する第１の筒１６４及び第２の筒１６３を備えている。第２の筒１６３の先端には、遮光部１６２が取り付けられており、検出カメラ１６１を移動機構１６５によって下端に移動した際に、生化学反応用基体１の注入孔３１を遮光するように反応エリア１１を覆うことができる。また、第１の筒１６４は、上端に検出カメラ１６１が取り付けられると共に第２の筒１６３と嵌合している。第１の筒１６４と第２の筒１６３との嵌合部は、図示しないＯリングなどを介して遮光可能に組み付けられており、該Ｏリングの弾性力によって互いに保持されている。なお、検出カメラ１６１を下降させた際に、生化学反応用基体１の反応エリア１１と検出カメラ１６１の距離を調整してピントを合わせるために、第１の筒１６４と第２の筒１６３は互いに移動可能な調整機構を備えており、この調整機構は上述したＯリングを介在されることによって構成されている。このように調整機構は第１の筒１６４と第２の筒１６３とがＯリングによって互いに取り付けられて構成されているので、第２の筒１６３は、Ｏリングの接触面で上下にスライドし、第１の筒１６４に対して上下動することができる。
【００６８】
このように、検出エリア１６０では、検体などの排液が終了した後、図２３に示すように、検出カメラ１６１を下降させて、その先端に設けられた遮光部１６２を生化学反応用基体１に密着させ、生化学反応用基体１及び分析装置１０１外部から外光が入らないように遮光する。この状態で、所定の反応時間の経過後の標識抗体の発光の有無を検出することで、アレルギー反応の有無を検出することが可能となる。標識抗体の発光は、標識抗ＩｇＥ抗体を発光させて可視化する発光基材が試薬（反応用試薬）として分注されているため、この発光基材を所定の環境条件下で所定の時間、反応エリアにおいて生化学反応を行い、この発光の強度を検出カメラ１６１によって計測する。
【００６９】
このように、分注ノズル１３１や検出カメラ１６１を第２の筒１６３，第１の筒１６４及び遮光部１６２と共に上下動させるように構成し、生化学反応用基体１の位置を移動可能とすることで、検出カメラ１６１を固定した状態で遮光部やカバーを移動させる機構に比べてカバーや移動機構が大型化してしまうことを防止して分析装置１０１の全体の小型化に寄与することが可能となる。本来であれば、検出対象のある生化学反応用基体１と、検出カメラ１６１との距離は、測定を精度よく行うために一定の距離に固定することが望ましいが、このような固定式の方式を採用すると、測定時の遮光のために検出カメラと生化学反応用基体１を覆って暗室構造を構成するフードを上下動させる必要があり、このフードが大型化すると共に当該フードが生化学反応用基体１全体を覆って遮光する必要があり、当該遮光を完全なものとするためには、さらにフード底面に弾性体を取り付けるなどして生化学反応用基体１を載置する台（非可動部）等と密着させる構造が必要となり、分析装置１０１の小型化を図ることが難しかった。これに対し本実施形態に係る分析装置１０１は、検出カメラ１６１そのものを上下動させることで、暗室構造のスペースを抑制し、移動機構の小型化を図ることが可能となる。さらに、第２の筒１６３を第１の筒１６４の内側に配し、その先端に遮光部１６２を取り付けることによって、遮光部１６２を生化学反応用基体１に密着させることでこれを遮光できるため、生化学反応用基体１の天板面積全体を覆う程度に少し大きいかほぼ同等若しくは注入孔３１を覆う程度の小さいスペースにて当該遮光が可能となり、移動機構の小型化を図ることができる。また、分注ノズル１３１の移動、基体保持部１１６ａを傾斜させる及びバーコードリーダ１２１などを生化学反応用基体１に合わせて移動させるなど、分析装置内では様々な方向への移動機構が必要となるが、それぞれの移動方向に対応する移動機構を設けると分析装置の大型化に繋がってしまう。これに対し、本実施形態に係る分析装置１０１は、架設エリア１１０、分注エリア１３０、撹拌エリア１４０、排液エリア１５０及び検出エリア１６０を同一直線状に配置し、各エリア間を移動する生化学反応用基体１の移動機構を一軸にまとめることで、分析装置１０１の小型化を図っている。
【００７０】
このような分析装置によれば、アレルギー検査において、検査の高感度化及び検査時間の短縮化を図るとともに、検体となる血液等の必要量を低減し、検査の工程数を削減して容易に検査を行うことが可能であり、検査者の感染リスクを低減することが可能となると共に、架設エリア，分注エリア，撹拌エリア，排液エリア，検出エリアを同一直線上に配置することで一軸上の移動だけで全工程を行うことができ、装置全体の小型化を図ることも可能となる。
【実施例】
【００７１】
次に、図２４から２７を参照して本実施形態に係る分析装置１０１の検出結果について説明を行う。図２４に示すように、本実施例では、生化学反応用基体の反応エリアに抗原Ａ（ゴキブリ：Ｃｏｃｋｒｏａｃｈ），Ｂ（オオアワガエリ：Ｔｉｍｏｔｈｙ）及びＣ（サケ：Ｓａｌｍｏｎ）を配列して検査を行った。【００７２】
図２５に示すように、撹拌後、６０秒間露光を経過した状態では、抗原Ａ及び抗原Ｂが発光しており、検出カメラで当該発光が確認できた。また、抗原Ｃについては、強い発光が確認されておらず、この検体では、抗原Ｃに対して微量のＩｇＥ抗体を含んでいることが確認できた。【００７３】
また、反応エリア周辺の排液残りによる発光が抑えられていることが確認できた。なお、反応エリア周辺に若干の発光が確認されるが、当該発光は解析には影響のない範囲であって分析装置の検出性能に影響を与えるものではないことも確認できた。【００７４】
なお、抗原Ｂについては、露光時間を６０秒とすると、発光が強くなっている。これに対し、本実施形態に係る分析装置１０１は、図２５から２７に示すように、露光時間を５秒、２０秒及び６０秒の間隔で撮影を行っている。これにより、６０秒経過後では抗原Ｂの発光が強く検出性能に影響を与えるところ、図２６に示すように、露光時間を２０秒にした場合では抗原Ｂの発光が適切な強さの状態であることから抗原Ｂについては、露光時間が２０秒間の検出結果を用いることで検出性能を確保している。さらに、本実施形態における分析装置１０１では、図２７に示すように露光時間を５秒間の状態も撮影を行っているが、今回の抗原ＡからＣについては、５秒では発光も微弱なものであった。しかし、発光が強い抗原については、露光時間が５秒間の検出結果を用いることで分析装置１０１の検出性能を更に向上させることができる。【００７５】
なお、上述した本実施形態に係る生化学反応用基体１は、注入孔３１や反応エリア１１を円形に形成した場合について説明を行ったが、これらの形状については、円形に限定されず、例えば楕円形状等に形成しても構わない。【００７６】
また、上述した本実施形態に係る生化学反応用基体１に用いる反応用プレート１０は、透明または有色のプレートを用いることができるが、黒色を用いることでより高感度に計測することができる。また、反応用プレート１０に塗布するブロッキング剤の範囲は、流出防止壁１３の内部を含めた反応エリア１１、斜面１５に加え、流路部１２の内部にすることでより非特異的な吸着を抑制できる。【００７７】
また、本実施形態に係る分析装置１０１に用いる傾斜機構による傾斜向きは、図１９を用いて説明を行ったが、案内手段１１７に対して直角な向きへの傾斜に限定されず、傾斜用カム１５１の位置又は回転軸１５３の位置により、案内手段１１７に対して例えば、水平方向へ傾斜させても構わない。さらに、試薬カートリッジ１１３は、測定に使用する全ての試薬と検体を１つにまとめたものでも構わないし、用途等に応じて２以上の試薬カートリッジを使用できるようにしても構わない。その様な変更又は改良を加えた形態も本発明の技術的範囲に含まれ得ることが、特許請求の範囲の記載から明らかである。
【符号の説明】
【００７８】
１  生化学反応用基体，    １０  反応用プレート，    １１  反応エリア，    １２  流路部，    １３  流出防止壁，    １４  ベース部，    １５  斜面，    ２０  吸収体，    ３０  カバー，    ３１  注入孔，    ３２  内壁部，    ３３  吸引防止用欠損部，    ３４  調整用欠損部，    ３５  滑り防止手段，    ３６  天面，    ３７  画成壁，    ３８，４５  リブ，    ４０  収納容器，    ４１  反応用プレート収納部，    ４２  吸収体収納部，    ４３  被保温部，    ４４  収納部溝，    ４６  開口部，    ５０  抗原，    ５１  セット，    １０１  分析装置，    １０２  操作部，    １０３  投入部，    １０４  筺体，    １１０  架設エリア，    １１１  検体，    １１２ａ  反応用試薬，    １１２ｂ  洗浄液、    １１３  試薬カートリッジ，    １１５  加温部，    １１６  移動テーブル，    １１６ａ  基体保持部，    １１７  案内手段，    １１８  駆動部，    １２０  バーコード読み取り部，    １２１  バーコードリーダ，    １３０  分注エリア，    １３１  分注ノズル，    １３２  チップ，    １４０  撹拌エリア，    １５０  排液エリア，    １５１  傾斜用カム，    １５２  ストッパ，    １５３  回転軸，    １５４  ローラ，    １５５  回動軸，    １６０  検出エリア，    １６１  検出カメラ，    １６２  遮光部，    １６３  第２の筒，    １６４  第１の筒，    １６５  移動機構。
【図１】
2019151468.tif 000003
【図２】
2019151468.tif 000004
【図３】
2019151468.tif 000005
【図４】
2019151468.tif 000006
【図５】
2019151468.tif 000007
【図６】
2019151468.tif 000008
【図７】
2019151468.tif 000009
【図８】
2019151468.tif 000010
【図９】
2019151468.tif 000011
【図１０】
2019151468.tif 000012
【図１１】
2019151468.tif 000013
【図１２】
2019151468.tif 000014
【図１３】
2019151468.tif 000015
【図１４】
2019151468.tif 000016
【図１５】
2019151468.tif 000017
【図１６】
2019151468.tif 000018
【図１７】
2019151468.tif 000019
【図１８】
2019151468.tif 000020
【図１９】
2019151468.tif 000021
【図２０】
2019151468.tif 000022
【図２１】
2019151468.tif 000023
【図２２】
2019151468.tif 000024
【図２３】
2019151468.tif 000025
【図２４】
2019151468.tif 000026
【図２５】
2019151468.tif 000027
【図２６】
2019151468.tif 000028
【図２７】
2019151468.tif 000029
【国際調査報告】
2019151468.tif 000030
2019151468.tif 000031
2019151468.tif 000032
2019151468.tif 000033
2019151468.tif 000034
2019151468.tif 000035
2019151468.tif 000036
2019151468.tif 000037